(57)【要約】【課題】異音の発生を低減して音声の調整を行うことができる電子機器及び音声処理方法を提供すること。【解決手段】音声の処理の調整値に基づいて音声の処理を行う処理部３５と、処理部３５により処理された音声を出力するレシーバ２３又はスピーカ２４と、音声の処理を開始し、所定期間の経過後に、処理後の音声をレシーバ２３又はスピーカ２４から出力する制御部３６を備える。例えば、音声の処理の調整値は、操作部１１の操作に応じて生成される。【選択図】図２
2013232702.tif 000002
【特許請求の範囲】
【請求項１】
音声の処理の調整値に基づいて音声を処理する処理部と、
前記処理部により処理された音声を出力する音声出力部と、
前記音声の処理を開始し、所定期間の経過後に、処理後の音声を前記音声出力部から出力する制御部を備える電子機器。
【請求項２】
外部機器との間で通信を行う通信部を備え、
前記処理部は、前記通信部により入力された音声を処理し、
前記制御部は、前記通信部により前記外部機器と通信を行っているときに、前記調整値が入力された場合には、当該入力された調整値に基づいて、音声の処理を行うように前記処理部を制御し、当該音声の処理を開始し、所定期間の経過後に、処理後の音声を前記音声出力部から出力する請求項１記載の電子機器。
【請求項３】
集音部を備え、
前記処理部は、前記集音部により入力された音声を処理し、
前記制御部は、前記集音部により音声の集音を行っているときに、前記調整値が入力された場合には、当該入力された調整値に基づいて、音声の処理を行うように前記処理部を制御し、当該音声の処理を開始し、所定期間の経過後に、処理後の音声を前記音声出力部から出力する請求項１記載の電子機器。
【請求項４】
前記処理部は、音声の周波数特性を変更する処理を行う請求項１乃至３にいずれか一項に記載の電子機器。
【請求項５】
調整値に基づいて音声を処理する処理工程と、
前記音声の処理を開始し、所定期間の経過後に、処理後の音声を音声出力部から出力する工程を備える音声処理方法。
【発明の詳細な説明】
【技術分野】
【０００１】
本発明は、音調整機能を有する電子機器及び音声処理方法に関する。
【背景技術】
【０００２】
電子機器には、聴覚を補助するための機能が搭載されたものがある（例えば、特許文献１を参照）。これらの電子機器では、ユーザの聴覚に合わせて、音声の調整を行うことが可能である。
【先行技術文献】
【特許文献】
【０００３】
【特許文献１】特開２０００−２０９６９８号公報
【発明の概要】
【発明が解決しようとする課題】
【０００４】
ところで、通話中又は集音中において音声の調整を開始すると、異音が発生する可能性があった。
【０００５】
本発明は、異音の発生を低減して音声の調整を行うことができる電子機器及び音声処理方法を提供することを１つの目的とする。
【課題を解決するための手段】
【０００６】
本発明に係る電子機器は、上記課題を解決するために、音声の処理の調整値に基づいて音声を処理する処理部と、前記処理部により処理された音声を出力する音声出力部と、前記音声の処理を開始し、所定期間の経過後に、処理後の音声を前記音声出力部から出力する制御部を備える構成である。
【０００７】
電子機器では、外部機器との間で通信を行う通信部を備え、前記処理部は、前記通信部により入力された音声を処理し、前記制御部は、前記通信部により前記外部機器と通信を行っているときに、前記調整値が入力された場合には、当該入力された調整値に基づいて、音声の処理を行うように前記処理部を制御し、当該音声の処理を開始し、所定期間の経過後に、処理後の音声を前記音声出力部から出力する構成でもよい。
【０００８】
電子機器では、集音部を備え、前記処理部は、前記集音部により入力された音声を処理し、前記制御部は、前記集音部により音声の集音を行っているときに、前記調整値が入力された場合には、当該入力された調整値に基づいて、音声の処理を行うように前記処理部を制御し、当該音声の処理を開始し、所定期間の経過後に、処理後の音声を前記音声出力部から出力する構成でもよい。
【０００９】
電子機器では、前記処理部は、音声の周波数特性を変更する処理を行う構成でもよい。
【００１０】
本発明に係る音声処理方法は、上記課題を解決するために、調整値に基づいて音声を処理する処理工程と、前記音声の処理を開始し、所定期間の経過後に、処理後の音声を音声出力部から出力する工程を備える構成である。
【発明の効果】
【００１１】
本発明によれば、異音の発生を低減して音声の調整を行うことができる。
【図面の簡単な説明】
【００１２】
【図１】携帯電話機の外観斜視図である。
【図２】携帯電話機の機能構成を示すブロック図である。
【図３】聴力特性を示す図である。
【図４】聴力が低下していない人の聴力特性を示す図である。
【図５】聴力が低下した人の聴力特性を示す図である。
【図６】聴力が低下していない人の音の聴こえ方と、聴力が低下した人の音の聴こえ方とを対比する図である。
【図７】携帯電話機による動作の流れについての説明に供するフローチャートである。
【図８】通話中において、音声の調整を行う処理の流れについての説明に供する図である。
【発明を実施するための形態】
【００１３】
以下、本発明の電子機器としての携帯電話機について説明する。
図１は、本実施形態に係る携帯電話機の外観斜視図である。
図１に示すように、携帯電話機１は、第１筐体２と、第２筐体３と、を備える。携帯電話機１は、第１筐体２と第２筐体３とを開閉可能に連結する連結部４を備える。
【００１４】
携帯電話機１は、第１形態としての閉状態と、第２形態としての開状態とに変形可能に構成される。
閉状態では、第１筐体２と第２筐体３とが互いに重なるように配置される。本実施形態の閉状態では、両筐体における主面同士が対向するように配置される。
【００１５】
開状態では、第１筐体２の主面と第２筐体３の主面とが露出するように配置される。本実施形態の開状態では、図１に示すように、第１筐体２の主面と第２筐体３の主面とが離間して配置される。
【００１６】
第１筐体２は、操作部１１と、入力部としてのマイク１２と、電源操作部１７と、各種インターフェースとを備える。操作部１１と、入力部としてのマイク１２と、電源操作部１７とは、第１筐体２の主面に配置される。
操作部１１は、機能キー１３と、文字キー１４と、操作キー１５と、サイドキー１６とを有する。
【００１７】
機能キー１３は、携帯電話機１の各種設定、電話帳機能、又はメール機能等の各種機能の作動に用いられる。文字キー１４は、電話番号の数字又はメールの文字等の入力に用いられる。操作キー１５は、各種操作における決定又は上下左右方向のスクロール等に用いられる。サイドキー１６は、携帯電話機１の各種設定、電話帳機能、又はメール機能等の各種機能の作動に用いられる。
【００１８】
操作部１１を構成するキーのそれぞれは、機能が割り当てられる。この機能の割り当ては、携帯電話機１における開閉状態、各種モード又は起動されているアプリケーションの種類等に応じて変更される。これらのキーのそれぞれがユーザにより押圧されると、携帯電話機１は、キー押圧時に割り当てられている機能に応じて動作する。
【００１９】
マイク１２は、第１筐体２の長手方向における端部にある。マイク１２は、携帯電話機１が開状態である場合の一方の端部に配置される。
【００２０】
電源操作部１７は、携帯電話機１の主電源をＯＮ又はＯＦＦにするための操作部である。
各種インターフェースは、外部機器と通信を行うためのインターフェースと、外部メモリの挿入及び取り出しが行われるインターフェースとを含む。本実施形態において、携帯電話機１は、各種インターフェースの一として、後述の接続部３３を備える。なお、外部機器は、例えば、ホスト装置のことである。各種インターフェースは、不使用時に、キャップにより覆われる。
【００２１】
第２筐体３は、表示部２１と、レシーバ２３とを備える。表示部２１と、レシーバ２３とは、第２筐体３の主面に配置される。
表示部２１は、文字情報又は画像情報等の各種情報を表示可能に構成される。
レシーバ２３は、第２筐体３の主面に配置される。レシーバ２３は、第２筐体３の長手方向における端部に配置される。レシーバ２３は、閉状態で第１筐体２に覆われ、開状態で開放される。
【００２２】
連結部４は、開閉ヒンジ機構を有している。連結部４は、第１筐体２の端部と第２筐体３の端部との間に配置される。連結部４は、第１筐体２と第２筐体３とを相対移動可能に連結する。本実施形態の連結部４は、第１筐体２と第２筐体３とを互いにローテンション可能に連結する。第１筐体２と第２筐体３は、回転軸Ｚを中心に回動する。携帯電話機１は、回転軸Ｚを中心に回動して第１形態と第２形態とに変形する。
【００２３】
携帯電話機１は、図２に示すように、操作部１１と、マイク１２と、表示部２１と、ドライバ２２と、レシーバ２３と、スピーカ２４と、通信部３１と、処理部３２と、記憶部３４と、処理部３５と、制御部３６とを備える。なお、レシーバ２３は、音声処理部の一の概念である。
【００２４】
レシーバ２３は、音声を出力する。
スピーカ２４は、携帯電話機１の操作音又は着信音等を出力する。スピーカ２４は、第１筐体２に設けられていてもよい。
【００２５】
通信部３１は、アンテナ部３１１と、通信処理部３１２とを備える。
アンテナ部３１１は、所定の周波数帯で変調された信号により基地局と無線通信を行う。なお、所定の周波数帯とは、例えば、８００ＭＨｚ帯である。アンテナ部３１１は、通信処理部３１２により変調処理が行われた音声信号を基地局に送信する。アンテナ部３１１は、基地局を介して他の通信機器と通信を行う。
【００２６】
通信処理部３１２は、基地局に送信する信号を所定の周波数帯で変調処理する。通信処理部３１２は、基地局から受信した信号を所定の周波数帯で復調処理する。通信処理部３１２は、復調処理が行われた信号を、制御部３６に出力する。
【００２７】
処理部３２は、画像処理を行う。処理部３２は、処理後の画像データをドライバ２２に出力する。ドライバ２２は、フレームメモリを備えている。ドライバ２２は、処理部３２から供給された画像データをメモリに蓄える。そして、ドライバ２２は、メモリに蓄えられた画像データを表示部２１に出力する。画像処理を制御部３６で行う場合、この処理部３２を省略してもよい。
【００２８】
記憶部３４は、複数のアプリケーションプログラムを記憶する。記憶部３４は、携帯電話機１の内部に固定されていてもよいし、着脱可能であってもよい。
【００２９】
処理部３５は、音声の処理を行う。
制御部３６は、携帯電話機１の全体を制御する。
制御部３６は、例えば、ＣＰＵ（Ｃｅｎｔｒａｌ  Ｐｒｏｃｅｓｓｉｎｇ  Ｕｎｉｔ）を含む。制御部３６は、複数のマイクロプロセッサを含んでいてもよい。
【００３０】
このように構成される携帯電話機１は、通話中又は集音中において音声の調整を行う機能を有している。ところで、携帯電話機１は、調整前の音声から調整後の音声に突然切り替わってしまうと、異音が生じることがある。なお、異音とは、例えば、耳障りな高音のことである。
携帯電話機１は、通話中又は集音中において、このような異音を低減して調整後の音声を出力することができる。以下に、具体的な構成について説明する。
【００３１】
上述したように、携帯電話機１は、操作部１１と、レシーバ２３と、スピーカ２４と、処理部３５と、制御部３６を備える。なお、レシーバ２３及びスピーカ２４は、音声処理部の一の概念である。
【００３２】
レシーバ２３は、処理部３５により処理された音声を出力する。
処理部３５は、音声の処理の調整値に基づいて音声を処理する。
制御部３６は、声の処理を開始し、所定期間の経過後に、処理後の音声をレシーバ２３又はスピーカ２４から出力する。
【００３３】
調整値は、操作部１１のいずれかのキーが押圧の操作が行われたときに、当該操作に応じて生成される構成でもよい。調整値は、外部から送信されてきた信号に基づいて生成される構成でもよい。
「開始」とは、調整値に基づかずに音声の処理を行っている状態において、調整値が入力され、当該調整値に基づいて音声の処理を始めるときはもちろんのこと、調整値に基づいて音声の処理を行っている状態において、異なる調整値が入力され、当該異なる調整値に基づいて音声の処理を始めるときも含めた概念である。
【００３４】
具体的には、制御部３６は、操作部１１の操作に応じた調整値に基づいて、音声の処理を行うように処理部３５を制御する。制御部３６は、当該音声の処理の開始から所定期間、音声を出力しないようにレシーバ２３又はスピーカ２４を制御し、当該所定期間の経過後に、処理後の音声をレシーバ２３又はスピーカ２４から出力する。レシーバ２３又はスピーカ２４から音声を出力しないようにする制御方法としては、例えば、レシーバ２３又はスピーカ２４に対する音声信号の出力を停止する方法、レシーバ２３又はスピーカ２４への給電を停止する方法などが挙げられる。
【００３５】
このように構成されることにより、携帯電話機１は、例えば、通話中において、操作部１１により音声の処理を行う操作が行われた場合には、レシーバ２３又はスピーカ２４から音声の出力を所定期間停止する。携帯電話機１は、所定期間経過後に、レシーバ２３又はスピーカ２４から音声を出力する。したがって、携帯電話機１は、異音を低減して調整後の音声を出力することができる。
【００３６】
携帯電話機１は、上述したように、外部機器との間で通信を行う通信部３１を備える。
制御部３６は、通信部３１により外部機器と通信を行っているときに、調整値が入力された場合には、当該調整値に基づいて、音声の処理を行うように処理部３５を制御する。制御部３６は、音声の処理の開始から所定期間、音声を出力しないようにレシーバ２３又はスピーカ２４を制御し、当該所定期間の経過後に、処理後の音声をレシーバ２３又はスピーカ２４から出力する。
【００３７】
このように構成されることにより、携帯電話機１は、通話中において、操作部１１により音声の処理を行う操作が行われた場合には、レシーバ２３又はスピーカ２４から音声の出力を所定期間停止する。携帯電話機１は、所定期間経過後に、レシーバ２３又はスピーカ２４から音声を出力する。したがって、携帯電話機１は、異音を低減して調整後の音声を出力することができる。
【００３８】
携帯電話機１は、図１に示すように、周囲の音を取り込む集音部３７を備える構成でもよい。携帯電話機１は、集音部３７を利用することにより、取り込んだ音声を聞きやすいように補正処理を行って、レシーバ２３又はスピーカ２４から出力する集音器としての役割を果たすことができる。携帯電話機１は、集音部３７を利用することにより、会話を録音するボイスレコーダとしての役割を果たすこともできる。
【００３９】
制御部３６は、集音部３７により音声の集音を行っているときに、調整値が入力された場合には、当該調整値に基づいて、音声の処理を行うように処理部３５を制御する。制御部３６は、音声の処理の開始から所定期間は、音声を出力しないようにレシーバ２３又はスピーカ２４を制御し、当該所定期間の経過後に、処理後の音声をレシーバ２３又はスピーカ２４から出力する。
【００４０】
このように構成されることにより、携帯電話機１は、集音部３７により周囲の音声を取り込み、レシーバ２３又はスピーカ２４から音声を出力しているときにおいて、操作部１１により音声の処理を行う操作が行われた場合には、レシーバ２３又はスピーカ２４から音声の出力を所定期間停止する。携帯電話機１は、所定期間経過後に、レシーバ２３又はスピーカ２４から音声を出力する。したがって、携帯電話機１は、異音を低減して調整後の音声を出力することができる。
【００４１】
処理部３５は、音声の周波数特性を変更する処理を行う構成でもよい。
ここで、処理部３５による具体的な処理について説明する。
処理部３５は、操作部１１の操作に応じた調整値と、音声の調整量が関連付けられた調整テーブルを参照する。なお、調整テーブルは、記憶部３４に記憶されるものとするが、これに限られない。
【００４２】
処理部３５は、制御部３６から操作部１１の操作に応じた調整値が供給されたときに、調整テーブルを参照して、当該調整値に対応する調整量で音声を調整する。調整後の音声は、レシーバ２３又はスピーカ２４から出力される。
【００４３】
図３は、ある年代の聴力特性（周波数に対する音の大きさ）を示す図である。図３中の斜線で示した部分は、一般的に、ある年代の人が聞き取れない、又は聞き取りにくい領域を示している。なお、年代があがるほど、高周波数領域の許容レンジが狭くなる傾向にある。
【００４４】
処理部３５は、図３に示す白抜きの領域内から外れないように、音声に対して調整を行う。例えば、処理部３５は、１，６００Ｈｚの音声に対して、操作部１１の操作に応じた調整値に基づいて、５０ｄＢ（デシベル）以上９０ｄＢ以下となるように調整する。
【００４５】
図４は、聴力が低下していない人の聴力特性を示す図である。図５は、聴力が低下した人の聴力特性を示す図である。図６は、聴力が低下していない人の音の聴こえ方と、聴力が低下した人の音の聴こえ方とを対比する図である。
【００４６】
図４に示されるように、９０ｄＢ以上の領域と４０ｄＢ以下の領域とが区分けされている。図４に示されるように、４０ｄＢ以下の音は、聴力が低下していない人が聴き難いと感じる音である。９０ｄＢ以上の音は、一般的に、聴力が低下していない人がうるさいと感じる音である。図５に示されるように、聴力が低下した人が良好に聴こえる音の大きさは、聴力が低下していない人が良好に聴こえる音の大きさと比べた場合、高い周波数において異なる。例えば、聴力が低下した人は、周波数が３，０００Ｈｚにおいて、約６５ｄＢ以下の音が聴き難いと感じる。聴力が低下した人は、４，０００Ｈｚにおいて、約１００ｄＢの音でもうるさいと感じない。
【００４７】
図４及び図５には、母音、有声子音、無声子音の音の大きさが示されている。図４及び図５に示すように、母音及び有声子音は、通常、４０ｄＢから９０ｄＢの範囲に入る。無声子音は、通常、高周波数域の３０ｄＢから６０ｄＢの範囲に入る。無声子音は、母音及び有声子音に比べて小さい音と聴こえる傾向がある。
【００４８】
聴力が低下していない人は、図４に示すように、３００Ｈｚから３，４００Ｈｚまでの音について、４０ｄＢから９０ｄＢまで音声を聴くことができる。聴力が低下した人は、図５に示すように、音声の周波数が高くなるに従って、聴こえ難くなる傾向がある。聴力が低下した人は、母音が聴こえるものの、有声子音及び無声子音が聴こえ難くなってしまう傾向にある。
【００４９】
聴力が低下した人は、図６に示すように、所定の大きさの音より小さい音については、殆ど聴こえない。聴力が低下した人は、所定の大きさの音より大きい音については、聴力が低下していない人と同じように音を感じることができる。例えば、図６の範囲Ａに対応する大きさの音は、聴力が低下した人も聴力が低下していない人と同じように聴こえる。
【００５０】
処理部３５は、ユーザが予め登録したプロフィール情報、又はユーザによる操作に基づいて、ユーザの年代に適合する聴力特性の調整テーブルを選択する構成でもよい。
処理部３５は、操作部１１の操作に応じた調整値に基づいて、選択されている調整テーブルを参照して、当該調整値に対応する調整量で音声の周波数特性を調整する構成でもよい。
【００５１】
つぎに、携帯電話機１による動作の流れについて、図７に示すフローチャートを参照しながら説明する。なお、以下では、通話中において、通話相手の音声を調整する場合を想定している。
【００５２】
ステップＳＴ１において、制御部３６は、調整値が入力されたかどうかを判断する。調整値が入力されたと判断した場合（Ｙｅｓ）には、ステップＳＴ２に進み、調整値が入力されていないと判断した場合（Ｎｏ）には、ステップＳＴ１を繰り返す。
【００５３】
ステップＳＴ２において、制御部３６は、調整値に基づいて、音声の処理を行うように処理部３５を制御する。
【００５４】
ステップＳＴ３において、制御部３６は、音声の処理の開始から所定期間、音声を出力しないようにレシーバ２３又はスピーカ２４を制御する。
【００５５】
ステップＳＴ４において、処理部３５は、所定期間の経過後に、処理後の音声をレシーバ２３又はスピーカ２４から出力する。
【００５６】
例えば、制御部３６は、通話中において（図８（ａ）を参照）、レシーバ２３又はスピーカ２４から音声が出力されているときに、操作キー１５の上下キー又は左右キーが押圧された場合には、音声の周波数特性の設定を意味する「聞こえ設定」画面を表示する（図８（ｂ））。操作キー１５の押圧の回数により、設定値を変化させる。
【００５７】
通話中において（図８（ａ）を参照）、レシーバ２３又はスピーカ２４から音声が出力されているときに、サイドキー１６が押圧された場合には、音声の音量（ボリューム）の設定を意味する「受話音量」画面を表示する（図８（ｃ））。サイドキー１６の押圧の回数により、設定値を変化させる。
なお、制御部３６は、音声の音量（ボリューム）を補正する場合には、補正の期間中であっても、音声を停止させずにレシーバ２３又はスピーカ２４から出力する。
【００５８】
このように構成されることにより、携帯電話機１は、通話中において、操作部１１により音声の処理を行う操作が行われた場合には、レシーバ２３又はスピーカ２４から音声の出力を所定期間停止する。携帯電話機１は、所定期間経過後に、レシーバ２３又はスピーカ２４から音声を出力する。したがって、携帯電話機１は、通話中において、異音を発生することなく音声の調整を行うことができる。
【符号の説明】
【００５９】
１  携帯電話機
２３  レシーバ
２４  スピーカ
３１  通信部
３４  記憶部
３５  処理部
３６  制御部
３７  集音部
【図１】
2013232702.tif 000003
【図２】
2013232702.tif 000004
【図３】
2013232702.tif 000005
【図４】
2013232702.tif 000006
【図５】
2013232702.tif 000007
【図６】
2013232702.tif 000008
【図７】
2013232702.tif 000009
【図８】
2013232702.tif 000010